(57)【要約】【課題】薄型化およびコストダウンが可能な有機ＥＬ表示装置および携帯電話機を提供する。【解決手段】スクリーン１１は、有機ＥＬモジュール１を保護するとともに、その表示内容を確認するための窓であって、ＵＶカット機能及び偏光機能を有する。すなわち、ＵＶカット機能は、スクリーン１１に入射した外来光のうち、紫外線波長領域の光が、有機ＥＬモジュール１に照射されるのを防ぐ機能である。また、偏光機能は、スクリーン１１から入射した自然光が陰極２２で反射した場合に、その反射光を遮断する機能である。光を透過することが必要であることから、スクリーン１１として、一般にアクリルやポリカーボネートなどの樹脂が用いられるが、ガラスであってもよい。スクリーン１１の表面に、ハードコート処理などの表面強化処理や、ＡＲコート処理やアンチグレア処理などの反射防止処理を施してもよい。【選択図】図１
2007172891.tif 000002
【特許請求の範囲】
【請求項１】
有機ＥＬ素子を保護するスクリーンを介して表示内容を確認可能な有機ＥＬ表示装置であって、
前記スクリーンは、前記有機ＥＬ素子における反射光を遮断する偏光機能と、当該スクリーンに入射した光のうち、紫外線波長領域の光を吸収する紫外線防御機能と
を備えることを特徴とする有機ＥＬ表示装置。
【請求項２】
有機ＥＬ素子を保護するスクリーンを介して表示内容を確認可能な有機ＥＬ表示装置であって、
前記スクリーンは、当該スクリーンに入射した光のうち、紫外線波長領域の光を吸収する紫外線防御機能を備えるとともに、有機ＥＬ素子を視認できない範囲の透過率を有する
ことを特徴とする有機ＥＬ表示装置。
【請求項３】
スクリーンに、表面強化処理または反射防止処理が施された
請求項１または請求項２記載の有機ＥＬ表示装置。
【請求項４】
有機ＥＬ素子を保護するスクリーンを介して表示内容を確認可能な携帯電話機であって、
前記スクリーンは、前記有機ＥＬ素子における反射光を遮断する偏光機能と、当該スクリーンに入射した光のうち、紫外線波長領域の光を吸収する紫外線防御機能と
を備えることを特徴とする携帯電話機。
【請求項５】
有機ＥＬ素子を保護するスクリーンを介して表示内容を確認可能な携帯電話機であって、
前記スクリーンは、当該スクリーンに入射した光のうち、紫外線波長領域の光を吸収する紫外線防御機能を備えるとともに、有機ＥＬ素子を視認できない範囲の透過率を有する
ことを特徴とする携帯電話機。
【請求項６】
スクリーンに、表面強化処理または反射防止処理が施された
請求項４または請求項５記載の携帯電話機。
【発明の詳細な説明】
【技術分野】
【０００１】
本発明は、有機ＥＬ(Electroluminescence )表示装置および携帯電話機に関する。
【背景技術】
【０００２】
近年、携帯電話機等の携帯通信端末装置が著しく普及している。携帯電話機の機能には、音声の送受信機能だけでなく、インターネットへのアクセス、電子メールやカメラで撮像された静止画像・動画像の送受信等の数多くの機能がある。これらの機能を利用するための表示デバイスとして、有機ＥＬ素子を用いた表示デバイスの開発が進んでいる。
【０００３】
有機ＥＬ表示装置においては、有機薄膜が紫外線により劣化することが知られている。有機ＥＬ表示装置の表示能力や耐久性を確保するためには、有機薄膜の劣化を回避することが重要である。
【０００４】
なお、保護膜を形成することにより、有機薄膜の劣化を回避できる有機ＥＬ表示装置が提供されている（例えば、特許文献１参照）。
【０００５】
【特許文献１】特開２００４−１９２９６９号公報（段落００２６−００３１）
【発明の開示】
【発明が解決しようとする課題】
【０００６】
図５は、一般的な携帯通信端末装置における有機ＥＬ表示装置の断面を示す断面図である。図５に示す携帯通信端末装置は、有機ＥＬモジュール１と、基板７と、フレーム８と、両面テープ９と、筐体１０と、スクリーン１１と、クッション１２と、偏光板１３とを備える。有機ＥＬモジュール１は、ガラス２と、封止缶３と、ドライバＩＣ４と、遮光テープ５と、フレキシブル基板６とを含む。
【０００７】
偏光板１３は、ガラス２に貼り付けられる。ガラス２は、ガラス基板であって、電極および有機薄膜が積層され、有機ＥＬ素子として動作する。偏光板１３は、有機薄膜が紫外線により劣化することを防止するとともに、電極の配線が有機モジュール１の表面から見えないようにするための偏光機能を有する。
【０００８】
特許文献１に記載された方式を図５に例示された有機ＥＬ表示装置に適用した場合には、基板の電極等の積層面と反対側の面に、保護膜と偏光板とが積層される。そのため、保護膜の厚みが携帯通信端末装置の厚みに直接影響し、携帯通信端末装置の大型化につながる可能性がある。また、保護膜形成のためのコストや、保護膜とガラスとの間の洗浄処理にかかるコストが必要となるという問題がある。
【０００９】
そこで、本発明は、薄型化およびコストダウンが可能な有機ＥＬ表示装置および携帯電話機を提供することを目的とする。
【課題を解決するための手段】
【００１０】
本発明による有機ＥＬ表示装置は、有機ＥＬ素子を保護するスクリーンを介して表示内容を確認可能な有機ＥＬ表示装置であって、スクリーンは、有機ＥＬ素子における反射光を遮断する偏光機能と、当該スクリーンに入射した光のうち、紫外線波長領域の光を吸収する紫外線防御機能とを備えることを特徴とする。
【００１１】
本発明による有機ＥＬ表示装置は、有機ＥＬ素子を保護するスクリーンを介して表示内容を確認可能な有機ＥＬ表示装置であって、スクリーンは、当該スクリーンに入射した光のうち、紫外線波長領域の光を吸収する紫外線防御機能を備えるとともに、有機ＥＬ素子を視認できない範囲の透過率を有することを特徴とする。
【００１２】
スクリーンに、表面強化処理または反射防止処理が施されてもよい。そのような構成によれば、スクリーンを保護し、光源の映り込みを低減することができる。
【００１３】
本発明による携帯電話機は、有機ＥＬ素子を保護するスクリーンを介して表示内容を確認可能な携帯電話機であって、スクリーンは、有機ＥＬ素子における反射光を遮断する偏光機能と、当該スクリーンに入射した光のうち、紫外線波長領域の光を吸収する紫外線防御機能とを備えることを特徴とする。
【００１４】
本発明による携帯電話機は、有機ＥＬ素子を保護するスクリーンを介して表示内容を確認可能な携帯電話機であって、スクリーンは、当該スクリーンに入射した光のうち、紫外線波長領域の光を吸収する紫外線防御機能を備えるとともに、有機ＥＬ素子を視認できない範囲の透過率を有することを特徴とする。
【００１５】
スクリーンに、表面強化処理または反射防止処理が施されてもよい。そのような構成によれば、スクリーンを保護し、光源の映り込みを低減することができる。
【発明の効果】
【００１６】
本発明によれば、有機ＥＬ表示装置および携帯電話機に偏光板を備える必要がないため、有機ＥＬ表示装置および携帯電話機の薄型化およびコストダウンを図ることができる。
【発明を実施するための最良の形態】
【００１７】
実施の形態１．
以下、本発明の第１の実施の形態を図面を参照して説明する。図１は、本発明による携帯通信端末装置における有機ＥＬ表示装置の断面を、携帯通信端末装置における基板７とともに示す断面図である。図１に示す有機ＥＬ表示装置は、有機ＥＬモジュール１と、フレーム８と、両面テープ９と、筐体１０と、スクリーン１１と、クッション１２とを備える。なお、図１において、有機ＥＬモジュール１は、太線で囲まれた部分を示す。また、基板７には、携帯通信端末装置を制御するための回路素子が搭載されている。
【００１８】
有機ＥＬモジュール１は、ガラス２と、封止缶３と、ドライバＩＣ４と、遮光テープ５と、フレキシブル基板６とを含む。
【００１９】
ガラス２は、ガラス基板であって、陽極（ＩＴＯ）２１（図２参照。）と陰極（金属）２２（図２参照。）および有機薄膜２３（図２参照。）が接合され、有機ＥＬ素子として動作する。
【００２０】
図２は、有機ＥＬ素子の構造の例を説明するための説明図である。図２に例示する有機ＥＬ素子は、基板となるガラス２に、陽極２１と、有機薄膜２３と、陰極２２とが順に積層される。有機薄膜２３は、陽極２１と陰極２２との間に積層される。例えば、陽極２１が陰極２２よりも高電位となるように両極間に所定電圧（発光開始電圧）以上の電圧を印加すると、有機薄膜２３に電流が流れ、発光する。なお、図１において、ガラス２は、陽極２１が接合された面がスクリーン１１の反対側の面となるように設置される。
【００２１】
封止缶３は、電極の酸化を防ぐための蓋である。封止缶３は、ガラス材料であってもよい。その場合には、ガラス２との接着部分から湿気が入ってくるため、内部に乾燥剤を有することにより、電極の酸化を防止することができる。
【００２２】
ドライバＩＣ４は、電極を駆動するための駆動装置である。ドライバＩＣ４は、発光させるべき有機ＥＬ素子が存在する電極に定電流を流すことにより、表示を制御する。遮光テープ５は、ドライバＩＣ４の誤動作を防止するためのテープである。
【００２３】
フレキシブル基板（ＦＰＣ）６は、ガラス２と基板７とを電気的および機械的に接続する。特に、基板７とドライバＩＣ４とを電気的に接続する。ただし、図１において、ＦＰＣ６とドライバＩＣ４とを接続する配線は記載省略されている。ＦＰＣ６は、例えば、コネクタを用いたり熱加圧圧着などの方法によってガラス２と基板７とを接続する。
【００２４】
有機ＥＬモジュール１は、金属または樹脂製のフレーム８によって、物理的に保護されるとともに位置決めされ、両面テープ９によって基板７に固定される。また、有機ＥＬモジュール１は、筐体１０とスクリーン１１によって物理的に保護される。クッション１２は、防塵対策としてスクリーン１１と有機ＥＬモジュール１との間に設置され、ゴミや異物の進入を防ぐ。
【００２５】
スクリーン１１は、有機ＥＬモジュール１の表示内容を確認するための窓であって、ＵＶ(Ultraviolet )カット機能および偏光機能を有する。そのため、本発明による携帯通信端末装置における有機ＥＬ表示装置では、偏光板を備える必要がない。
【００２６】
ＵＶカット機能は、例えば、約４００ｎｍ以下の波長の電磁波（紫外線）を吸収する機能である。すなわち、ＵＶカット機能は、スクリーン１１に入射した外来光のうち、紫外線波長領域の光が、有機薄膜２３に照射されるのを防ぐ機能である。
【００２７】
偏光機能は、例えば、スクリーン１１から入射した外来光が陰極２２で反射した場合に、その反射光を遮断する機能である。陰極２２における反射光を遮断することにより、スクリーン１１から、電極や配線等が見えないようにすることができる。
【００２８】
スクリーン１１は、例えば、偏光機能を有するアクリル板に、紫外線を遮断するための金属を蒸着させることにより実現される。すなわち、スクリーン１１として、偏光機能およびＵＶカット機能を有する樹脂製品などを利用することができる。また、偏光機能を有していないアクリル板等を用いる場合には、例えば、アクリル板等に偏光フィルムを貼り付けることによって、偏光機能を有するものを得ることができる。
【００２９】
スクリーン１１は、一般に、携帯電話機等に要求される強度を確保するために、０．５ｍｍ〜１．０ｍｍ程度の厚みを有する。また、ＵＶカット機能および偏光機能を有する偏光板は、一般に０．１ｍｍ〜０．２ｍｍ前後の厚みを有する。したがって、ＵＶカット機能および偏光機能を備えたことによるスクリーン１１の厚みへの影響はない。
【００３０】
光を透過することが必要であることから、スクリーン１１として、一般にアクリルやポリカーボネートなどの樹脂が用いられるが、ガラスであってもよい。なお、ガラスを用いる場合は、強度を確保するために、強化ガラスを用いるか、飛散防止フィルムを付加することが望ましい。また、いずれの材料を用いる場合であっても、スクリーン１１の表面に、ハードコート処理などの表面強化処理や、ＡＲ(Anti-Reflective )コート処理やアンチグレア処理などの反射防止処理を施してもよい。
【００３１】
以上に説明したように、第１の実施の形態によれば、有機ＥＬ表示装置に偏光板を備える必要がない。したがって、有機ＥＬ表示装の薄型化およびコストダウンを図ることができるという効果がある。
【００３２】
実施の形態２．
次に、本発明の第２の実施の形態を図１を参照して説明する。一般に、有機ＥＬモジュールに必要とされる偏光板の機能は、先に述べたように、紫外線による有機ＥＬ素子の有機薄膜の劣化を防止するとともに、有機ＥＬ素子に形成される電極の配線が有機モジュールの表面から見えないようにすることである。そのため、本来、偏光機能はなくてもよい。
【００３３】
また、スクリーン１１が偏光機能を有する場合、偏光サングラスの使用者が、有機ＥＬモジュール１の表示を見ることができないという問題がある。
【００３４】
第２の実施の形態では、スクリーン１１は、第１の実施の形態と同様にＵＶカット機能を有するが、偏光機能は有さないものとする。
【００３５】
スクリーン１１は、例えば、偏光機能を有さないアクリル板に、紫外線を遮断するための金属を蒸着させることにより実現される。すなわち、スクリーン１１として、ＵＶカット機能を有する樹脂製品などを利用することができる。
【００３６】
なお、第２の実施の形態において、スクリーン１１は、ガラス２に形成される電極の配線が有機モジュール１の表面から見えない範囲の透過率を有することが望ましい。スクリーン１１の透過率を下げる場合、有機ＥＬモジュール１は、一般に表示コントラストを高めるために黒く着色されるが、黒色以外でもよい。また、スクリーン１１に、ハーフミラー等の加工を施してもよい。
【００３７】
第２の実施の形態によれば、第１の実施の形態による効果に加えて、偏光サングラスの使用者も、有機ＥＬ表示装置の表示を見ることができるという効果がある。また、偏光機能を有するフィルタは、国内数社の企業によるシェアが高く、コストが高いため、偏光機能を除くことにより、更なるコストダウンを図ることができる。
【００３８】
実施の形態３．
次に、本発明の第３の実施の形態を図面を参照して説明する。図３は、本発明による有機ＥＬ表示装置を搭載可能な携帯電話機１００の一例を示す正面図である。図３に示す携帯電話機１００は、上部外側筐体１１０と、補助スクリーン１１１と、カメラ１１２と、アンテナ１１３とを備える。
【００３９】
携帯電話機１００は、例えば、折り畳み可能な携帯電話機であって、通信機能を有し、アンテナ１１３を介して移動通信網の基地局と無線通信を行う。上部外側筐体１１０は、折り畳み時に上部外側となる筐体である。カメラ１１２は、ＣＣＤ等の撮像素子を含み、被写体を撮像してディジタルデータに変換する処理などの各種の処理を実行する。
【００４０】
以下の説明では、上部外側筐体１１０が、第１の実施の形態における筐体１０に対応し、補助スクリーン１１１が、第１の実施の形態におけるスクリーン１１に対応する場合、すなわち、補助スクリーン１１１の下部に設けられる補助表示部が第１の実施の形態における有機ＥＬ表示装置で実現されている場合を例にして説明する。
【００４１】
補助スクリーン１１１は、補助的な表示を行う補助表示部（図示せず。）の表示内容を確認するためのスクリーンであって、折り畳み時に上部外側となる側に設置される。補助表示部は、有機ＥＬモジュール１（図１参照。）を含む表示部である。補助スクリーン１１１は、ＵＶカット機能および偏光機能を有する。
【００４２】
すなわち、補助スクリーン１１１は、ＵＶカット機能として、補助スクリーン１１１に入射した外来光のうち、紫外線波長領域の光が、有機ＥＬモジュール１に含まれる有機薄膜２３（図１参照。）に照射されるのを防ぐ機能を有する。
【００４３】
また、補助スクリーン１１１は、偏光機能として、補助スクリーン１１１から入射した外来光が、有機ＥＬモジュール１に含まれる陰極２２（図１参照。）で反射した場合に、その反射光を遮断する機能を有する。陰極２２における反射光を遮断することにより、補助スクリーン１１１から、電極や配線等が見えないようにすることができる。
【００４４】
上記の説明では、補助スクリーン１１１がＵＶカット機能および偏光機能を有する場合を例示したが、主要な表示を行う主表示部に設置される主スクリーンであってもよい。
【００４５】
図４は、本発明による有機ＥＬ表示装置を搭載可能な携帯電話機１００の開いた状態の一例を示す斜視図である。なお、図４に示された状態は、図３に示された携帯電話機１００を開いた状態に相当する。図４に示す携帯電話機１００は、図３に示された上部外側筐体１１０とはまり合う上部内側筐体１２０と、主スクリーン１２１と、スピーカ１２２と、下部内側筐体１３０と、操作部１３１と、マイクロフォン１３２とを備える。
【００４６】
上部内側筐体１２０は、折り畳み時に上部内側となる筐体であり、下部内側筐体１３０は、折り畳み時に下部内側となる筐体である。スピーカ１２２は、通話を行うための受話音声出力装置であり、マイクロフォン１３２は、通話を行うための音声入力装置である。操作部１３１は、数字や文字の入力操作等を行うための複数の操作キーを有する。
【００４７】
以下の説明では、上部内側筐体１２０が、第１の実施の形態における筐体１０に対応し、主スクリーン１２１が、第１の実施の形態におけるスクリーン１１に対応する場合、すなわち、主スクリーン１２１の下部に設けられる主表示部が第１の実施の形態における有機ＥＬ表示装置で実現されている場合を例にして説明する。
【００４８】
主スクリーン１２１は、主表示部（図示せず。）の表示内容を確認するためのスクリーンであって、折り畳み時に上部内側となる側に設置される。主表示部は、有機ＥＬモジュール１（図１参照。）を含む表示部である。主スクリーン１２１は、ＵＶカット機能および偏光機能を有する。
【００４９】
すなわち、主スクリーン１２１は、ＵＶカット機能として、主スクリーン１２１に入射した外来光のうち、紫外線波長領域の光が、有機ＥＬモジュール１に含まれる有機薄膜２３（図１参照。）に照射されるのを防ぐ機能を有する。
【００５０】
また、主スクリーン１２１は、偏光機能として、主スクリーン１２１から入射した外来光が、有機ＥＬモジュール１に含まれる陰極２２（図１参照。）で反射した場合に、その反射光を遮断する機能を有する。陰極２２における反射光を遮断することにより、主スクリーン１２１から、電極や配線等が見えないようにすることができる。
【００５１】
第３の実施の形態によれば、携帯電話機に偏光板を備える必要がないため、携帯電話機の薄型化およびコストダウンを図ることができるという効果がある。
【００５２】
なお、第３の実施の形態では、補助スクリーン１１１および主スクリーン１２１が第１の実施の形態における有機ＥＬ表示装置に含まれるスクリーン１１に対応する場合を例にして説明した。すなわち、補助表示部および主表示部がともに第１の実施の形態における有機ＥＬ表示装置で実現されていた。しかし、いずれか一方のみが、有機ＥＬ表示装置で実現されていてもよい。また、補助スクリーン１１１および主スクリーン１２１、または補助スクリーン１１１もしくは主スクリーン１２１を、第２の実施の形態におけるスクリーン１１に対応するものとしてもよい。その場合には、補助スクリーン１１１および主スクリーン１２１は、ＵＶカット機能のみを有するものとする。また、上部外側筐体１１０および上部内側筐体１２０が、下部内側筐体１３０を含む下部筐体に対して回転可能であって、内側と外側とが逆になってもよく、携帯電話機１００は、折り畳み可能でなくてもよい。
【００５３】
なお、図１に示す例では、有機ＥＬモジュール１が基板７に固定される場合を例示したが、筐体１０に固定されてもよい。また、ドライバＩＣ４は、ＦＰＣ６または基板７に搭載されていてもよい。さらに、本発明は、有機ＥＬモジュール１の形状、発光色、表示能力、駆動方式等にはよらないものであるとともに、携帯通信端末装置に限らず、有機ＥＬ表示装置を備える機器に対して適用可能である。
【産業上の利用可能性】
【００５４】
本発明は、有機ＥＬ表示装置および携帯電話機に効果的に適用でき、特に、薄型化とコストダウンを図る場合に効果的に適用できる。
【図面の簡単な説明】
【００５５】
【図１】本発明による携帯通信端末装置における有機ＥＬ表示装置の断面を示す断面図である。
【図２】有機ＥＬ素子の構造の例を説明するための説明図である。
【図３】本発明による携帯電話機の構成例を示す正面図である。
【図４】本発明による携帯電話機の構成例を示す斜視図である。
【図５】一般的な携帯通信端末装置における有機ＥＬ表示装置の断面を示す断面図である。
【符号の説明】
【００５６】
１    有機ＥＬモジュール
２    ガラス
３    封止缶
４    ドライバＩＣ
５    遮光テープ
６    フレキシブル基板
７    基板
８    フレーム
９    両面テープ
１０  筐体
１１  スクリーン
１２  クッション
【図１】
2007172891.tif 000003
【図２】
2007172891.tif 000004
【図３】
2007172891.tif 000005
【図４】
2007172891.tif 000006
【図５】
2007172891.tif 000007